(57)【特許請求の範囲】
【請求項１】
ディスプレイを含む表示手段と、このディスプレイの表面部に設けられディスプレイへの表示で機能を示すようにした複数のタッチキーとを備え、縫製に供する刺繍模様を選択して編集する刺繍縫製可能なミシンの模様選択編集装置において、
前記刺繍模様を選択する際、ディスプレイの同一画面上に同時に、複数の刺繍模様を表示した状態で縫製に供する刺繍模様を選択可能な模様選択領域と、選択された刺繍模様を表示した状態で編集可能な模様表示領域の少なくとも一部を表示するように表示手段を制御する表示制御手段を設け、
前記表示制御手段は、前記模様選択領域と模様表示領域とを重ねてディスプレイに表示するとともに、模様表示領域のうち模様選択領域と重ならない模様表示残存領域に選択された刺繍模様の少なくとも一部を表示可能に構成され、選択された模様が文字模様である場合には、その文字模様全体を模様表示残存領域に表示可能に構成したことを特徴とする刺繍縫製可能なミシンの模様選択編集装置。
【請求項２】
前記表示制御手段は、模様選択の完了後に模様選択領域の表示を解除するとともに、選択された刺繍模様を模様表示領域の中央部分にセンタリングして表示することを特徴とする請求項１に記載の刺繍縫製可能なミシンの模様選択編集装置。
【請求項３】
前記ディスプレイの一部に前記模様表示領域と模様選択領域とを表示し、ディスプレイの残りの部分に種々の情報を表示可能に構成したことを特徴とする請求項１又は２に記載の刺繍縫製可能なミシンの模様選択編集装置。
【発明の詳細な説明】
【０００１】
【発明の属する技術分野】
本発明は刺繍縫製可能なミシンの模様選択編集装置に関し、特に、刺繍模様を選択する際、ディスプレイの同一画面に、複数の刺繍模様を表示した状態で縫製に供する刺繍模様を選択可能な模様選択領域と、選択された刺繍模様を表示した状態で編集可能な模様表示領域の少なくとも一部を表示させるようにしたものに関する。
【０００２】
【従来の技術】
従来、刺繍縫製可能なミシンには、針棒や天秤や回転釜等を駆動して縫目を形成可能な縫製機構と、刺繍枠を直交する２方向へ独立に移動駆動する刺繍枠駆動機構が設けられ、制御装置により、刺繍模様の縫製データ（複数のステッチデータ等からなる）に基づいて、縫製機構と刺繍枠駆動機構が駆動制御されて、刺繍枠に取付けた加工布に刺繍模様が縫製される。
【０００３】
この刺繍縫製可能なミシンでは、基本的に、制御装置のＲＯＭや、この制御装置に着脱可能なＲＯＭカード等に、複数の刺繍模様の模様データ（縫製データを含む）が予め格納されており、これら複数の刺繍模様のなかから縫製に供する刺繍模様（模様データ）を選択し、更に、選択した刺繍模様（模様データ）を編集（配置変更、拡大／縮小、反転、等々）可能に構成してある。
【０００４】
さて、従来より、刺繍縫製可能なミシンにおいて、ディスプレイと、このディスプレイの表面部に設けられディスプレイへの表示で機能を示すようにした複数のタッチキーとを備えたものでは、一般的に、縫製に供する刺繍模様を選択する際にはディスプレイに模様選択画面を表示させ、選択された刺繍模様を表示する際にはディスプレイに模様編集画面を表示させるようにしてある。
【０００５】
そして、模様選択画面では、ディスプレイの大部分を占める模様選択領域に複数の刺繍模様（文字模様や図柄模様）を表示させ、そのうちの所望の刺繍模様をタッチすることで、その刺繍模様を縫製に供する刺繍模様として選択でき、特に、文字模様を選択する場合には、模様選択画面の模様選択領域以外の領域に、選択した文字模様を表示させ確認できるようになっている。
【０００６】
そして、刺繍模様の選択が終了すると、模様選択画面から模様編集画面に切換わり、その模様選択画面において、模様表示領域（刺繍枠に対応する刺繍縫製可能な領域）に選択した刺繍模様を表示させ、８方キー等の模様編集キーをタッチ操作することにより、表示した刺繍模様を編集できるようになっている。
【０００７】
【発明が解決しようとする課題】
従来の刺繍縫製可能なミシンでは、特に、文字模様を選択する際、模様選択画面の模様選択領域以外の領域に、選択した文字模様を表示させるが、この表示では、選択した文字内容だけを確認できるだけで、模様表示領域に対する、選択した文字模様のサイズや向き、特に複数の文字模様を選択する場合にはこれらの配列方向等を実際に見て把握できない。
【０００８】
従って、模様編集画面になって、選択された文字模様が模様表示領域に表示されて始めて、模様表示領域に対する、文字模様のサイズや向きや複数の文字模様の配列方向等を実際に見て把握することになるが、この把握を文字模様選択の際にできないため、模様選択を終了し模様編集画面に文字模様を表示させた段階で、文字模様の変更等を行いたいという場合が生じ易い。そしてこの場合、模様編集画面から再度模様選択画面に切換えて、文字模様を選択し直す等の必要があるため非常に面倒である。
【０００９】
また、最近では、文字模様のサイズや複数の文字模様の配列方向を予め設定した状態で、文字模様を選択可能にしたものがあるが、模様表示領域に対する文字模様のサイズや複数の文字模様の配列方向を実際に見て把握できないため、上記同様の課題が生じ、サイズや配列方向の設定が有効に機能しているといえない。
【００１０】
本発明の目的は、刺繍縫製可能なミシンの模様選択編集装置において、刺繍模様を選択する際、ディスプレイの同一画面に、模様選択領域と模様表示領域の少なくとも一部を同時に表示することにより、模様表示領域に対する刺繍模様のサイズや向きや複数の文字模様の配列方向を実際に見て把握可能にすること、等である。
【００１１】
【課題を解決するための手段】
請求項１の刺繍縫製可能なミシンの模様選択編集装置は、ディスプレイを含む表示手段と、このディスプレイの表面部に設けられディスプレイへの表示で機能を示すようにした複数のタッチキーとを備え、縫製に供する刺繍模様を選択して編集する刺繍縫製可能なミシンの模様選択編集装置において、前記刺繍模様を選択する際、ディスプレイの同一画面上に同時に、複数の刺繍模様を表示した状態で縫製に供する刺繍模様を選択可能な模様選択領域と、選択された刺繍模様を表示した状態で編集可能な模様表示領域の少なくとも一部を表示するように表示手段を制御する表示制御手段を設け、前記表示制御手段は、前記模様選択領域と模様表示領域とを重ねてディスプレイに表示するとともに、模様表示領域のうち模様選択領域と重ならない模様表示残存領域に選択された刺繍模様の少なくとも一部を表示可能に構成され、選択された模様が文字模様である場合には、その文字模様全体を模様表示残存領域に表示可能に構成したことを特徴とするものである。
【００１２】
この模様選択編集装置では、縫製に供する刺繍模様を選択する際、表示制御手段によりディスプレイを含む表示手段が制御され、ディスプレイの同一画面に、複数の刺繍模様を表示した状態で縫製に供する刺繍模様を選択可能な模様選択領域と、選択された刺繍模様を表示した状態で編集可能な模様表示領域の少なくとも一部が同時に表示される。前記複数の刺繍模様のうちの所望の刺繍模様をタッチすることで、その刺繍模様を縫製に供する刺繍模様として選択できる。
【００１３】
ここで、文字表示領域は、刺繍枠に対応する刺繍縫製可能な領域である。従って、縫製に供する刺繍模様を選択する際、ディスプレイの前記模様表示領域の少なくとも一部に、選択した刺繍模様の少なくとも一部を表示させることができるため、模様表示領域に対する、選択した刺繍模様（図柄模様や文字模様）のサイズや向きや複数の文字模様の配列方向を実際に見て把握することができる。
【００１４】
つまり、刺繍模様を選択する際、模様表示領域に対する選択した刺繍模様のサイズや向きや複数の文字模様の配列方向を把握できるため、選択した刺繍模様を、この刺繍模様選択段階で容易に変更することが可能である。それ故、複数の文字模様のサイズや配列方向を予め設定した状態で文字模様を選択可能なものでは、そのサイズや配列方向の設定を有効に機能させることができる。
さらに、刺繍模様を選択する際、模様表示残存領域に選択された刺繍模様の少なくとも一部を表示させることができるため、模様表示領域に対する選択した刺繍模様のサイズや向きや複数の文字模様の配列方向を実際に確実に見て把握することができる。また、選択された模様が文字模様である場合には、その文字模様全体を模様表示残存領域に表示させることができるため、選択した文字模様のサイズや向きや複数の文字模様の配列方向ばかりでなく、その文字内容を確実に把握することができる。
【００１５】
【００１６】
【００１７】
【００１８】
請求項２の刺繍縫製可能なミシンの模様選択編集装置は、請求項１の発明において、前記表示制御手段は、模様選択の完了後に模様選択領域の表示を解除するとともに、選択された刺繍模様を模様表示領域の中央部分にセンタリングして表示することを特徴とするものである。つまり、模様選択の終了後に、ディスプレイに模様選択領域の全体が表示され、刺繍模様を編集する際の初期位置である模様表示領域の中央部分に確実に配置することができる。
【００１９】
請求項３の刺繍縫製可能なミシンの模様選択編集装置は、請求項１又は２の発明において、前記ディスプレイの一部に前記模様表示領域と模様選択領域とを表示し、ディスプレイの残りの部分に種々の情報を表示可能に構成したことを特徴とするものである。従って、前記模様表示領域と模様選択領域とを表示した状態で、前記種々の情報を表示することができる。
【００２０】
【発明の実施の形態】
以下、本発明の実施の形態について図面を参照して説明する。本実施形態は、刺繍枠駆動装置（刺繍装置）を着脱可能に装着することで、種々の刺繍模様を縫製可能な電子制御ミシンに本発明を適用した場合の例である。図１に示すように、電子制御ミシンＭは、ベッド部１と、ベッド部１の右端部から立設された脚柱部２と、脚柱部２の上端からベッド部１に対向するように左方へ延びるアーム部３とを有する。
【００２１】
ベッド部１には、図示していないが、送り歯、送り歯を上下動させる送り歯上下動機構、送り歯を前後動させる送り歯前後動機構、下糸ボビンを収容し上下動する縫針６と協働して縫目を形成可能な糸輪捕捉器（水平釜等）等が設けられ、このベッド部１の通称フリーアームと称されるフリーベッド部に、刺繍枠駆動装置３０が着脱可能に装着される。
【００２２】
脚柱部２には、多数の刺繍模様の模様データを記録したＲＯＭカード４０を、内部のカード用コネクタ１３（図２参照）に接続する為のカード用スロット２ａが形成され、そのカード用スロット２ａ下側内部に、フロッピーディスクドライブ（ＦＤＤ）２９（図２参照）が設けられ、そのＦＤＤ２９にフロッピーディスク（ＦＤ）４５を装着する為のディスク用スロット２ｂが形成されている。
【００２３】
アーム部３には、下端に縫針６を装着した針棒５を上下動させる針棒駆動機構（図示略）、針棒５を布送り方向と直交する方向に揺動させる針棒揺動機構（図示略）、天秤を針棒５の上下動に調時して上下動させる天秤駆動機構（図示略）等が設けられ、アーム部３の頭部４の前部に、縫製作業の起動と停止を指令する起動・停止スイッチ１２が設けられている。尚、送り歯上下動機構と針棒駆動機構と天秤駆動機構とはミシンモータ１７で駆動され、針棒揺動機構は針棒揺動用ステッピングモータ１８で駆動され、送り歯前後動機構は送り歯前後駆動用ステッピングモータ１９で駆動される（図２参照）。
【００２４】
そして、脚柱部２の前面に、縦長のカラー液晶ディスプレイ１０（以下、ディスプレイという）が設けられ、このディスプレイ１０に、後述する、図４、図９の模様種類選択画面５０、図５、図６の文字模様選択画面６０、図１０の図柄模様選択画面８０、図７、図８、図１１の模様編集画面７０、図１２、図１３の縫製画面等が表示されるようになっている。
【００２５】
このディスプレイ１０の前面には、ディスプレイ１０への表示で機能を示すようにした複数の透明電極からなるタッチキー１１（図２参照）がマトリックス状に設けられている。即ち、ディスプレイ１０に表示された情報のうち、刺繍模様の選択や編集等の機能等の指示を、その刺繍模様や機能名に対応するタッチキー１１を押すことで実現することができる。
【００２６】
前記刺繍枠駆動装置３０は、本体ケース３０ａと、加工布を着脱自在に装着する刺繍枠３１と、刺繍枠３１をＹ方向（前後方向）へ駆動するＹ方向駆動機構を内蔵した可動体３２と、本体ケース３０ａ内に収容され可動体３２をＸ方向（左右方向）へ駆動するＸ方向駆動機構とを備えており、Ｘ方向駆動機構は第１ステッピングモータ３３で駆動され、Ｙ方向駆動機構は第２ステッピングモータ３４で駆動される（図２参照）。
【００２７】
刺繍枠駆動装置３０がベッド部１のフリーベッド部に装着されると、第１，第２ステッピングモータ３３，３４が、コネクタ１４（図２参照）を介してミシンＭの制御装置Ｃに電気的に接続され、この制御装置Ｃにより第１，第２ステッピングモータ３３，３４が駆動制御され、加工布がセットされた刺繍枠３１をＸ方向とＹ方向とに独立に移動駆動して刺繍縫製可能になっている。
【００２８】
次に、電子制御ミシンＭの制御系について説明する。図２に示すように、制御装置Ｃは、入力インターフェース２１と、ＣＰＵ２２とＲＯＭ２３とＲＡＭ２４とフラッシュメモリ（電気的に書換え可能な不揮発性メモリ）２５とを含むコンピュータと、出力インターフェース２６と、ＦＤＤ２９を駆動するフロッピーディスクコントローラ２８（ＦＤＣ２８）とを有し、これらはデータバスなどのバス２７で接続されている。
【００２９】
入力インターフェース２１に、起動・停止スイッチ１２と、複数のタッチキー１１と、ミシン主軸の回転位相を検出するタイミング信号発生器１６等が接続され、出力インターフェース２６に、モータ１７〜１９と、ディスプレイ（ＬＣＤ）１０の為のディスプレイコントローラ（ＬＣＤＣ）２０等が接続されている。また、刺繍枠駆動装置３０の第１，第２ステッピングモータ３３，３４がコネクタ１４を介して出力インターフェース２６に接続され、ＲＯＭカード４０のＲＯＭ４１がコネクタ１３を介してバス２７に接続される。
【００３０】
前記ＲＯＭ２３には、実用模様を縫製する為の縫製制御や表示制御の一般的な制御プログラムに加えて、縫製に供する刺繍模様を選択するとともにその刺繍模様を編集可能な本願特有の模様選択編集制御の制御プログラムと、選択編集された刺繍模様を刺繍縫製する縫製制御の制御プログラム等が格納されている。
【００３１】
更に、図３に示すように、ＲＯＭ２３の模様データメモリ２３ａには、数字やアルファベット等の複数の文字模様（第１文字模様、第２文字模様、第３文字模様・・・）の模様データが、字体種類別にグループ分けして格納され、また、動物や花や枠等の複数の図柄模様（第１図柄模様、第２図柄模様、第３図柄模様・・・）の模様データが、図柄種類別にグループ分けして格納されている。
【００３２】
各文字模様の模様データと各図柄模様の模様データは、夫々、ビットデータからなる模様表示データと、複数のステッチデータ（針落ちデータ）からなる縫製データと、付随データ（糸色コード、縫製時間等）とからなる。
【００３３】
各図柄模様の模様データにおいては、模様表示データが、その刺繍模様を構成する複数の模様部（第１模様部、第２模様部、第３模様部・・・）のビットデータからなり、縫製データが複数の模様部の縫製データからなり、付随データが複数の模様部の付随データ（糸色コード、縫製時間等）からなる。そして、各模様部の縫製データの最後には、その模様部の縫製終了時に糸替えの為に縫製を停止させる為の停止コードＳＣが追加的に格納されている。
【００３４】
この電子制御ミシンＭには、複数枚のＲＯＭカード４０が準備されており、各ＲＯＭカード４０のＲＯＭ４１に、複数の刺繍模様（第１刺繍模様、第２刺繍模様、第３刺繍模様・・・）の模様データが、前記ＲＯＭ２３と略同様の構造で以て格納されている。また、ＦＤ４５にも、複数の刺繍模様の模様データを格納しておいて選択編集可能にできる。尚、ＲＡＭ２４には、前述した各種の制御に必要なメモリ類（フラグやポインタやカウンタ等のメモリ、レジスタやバッファ等）が設けられている。
【００３５】
さて、この電子制御ミシンＭにおいては、特に、図４〜図１４に示すように、ディスプレイ（画面）１０を縦方向に長い（縦横の比率が約３：２）長方形状に構成し、選択された（縫製に供する）刺繍模様を表示した状態で編集可能な模様表示領域５１が、ディスプレイ１０の約３／５の大きさで縦方向に長い長方形状に構成され、ディスプレイ１０の左上に設定されている。
【００３６】
図５、図６に示すように、文字模様を選択する際に、ディスプレイ１０の同一画面（文字模様選択画面６０）に、模様表示領域５１と、縫製に供する文字模様を選択可能な文字模様選択領域６１とを重ねて同時に表示し、文字模様選択領域６１全体と、模様表示領域５１のうち文字模様選択領域６１と重ならない（模様表示領域５１の一部）模様表示残存領域６２とを表示するように構成してある。
【００３７】
ここで、ディスプレイ１０の左上に模様表示領域５１が表示され、ディスプレイ１０の略中央部分にほぼ正方形状の文字模様選択領域６１が表示されるため、模様表示残存領域６２は、文字模様選択領域６１の左側と上側に表示される。
【００３８】
そして、図６に示すように、選択された文字模様が縦向き配列の文字（個々の文字は横向き）である場合には、その文字模様全体を左側の模様表示残存領域６２に表示可能に構成し、図示していないが、選択された文字模様が横向き配列の文字（個々の文字は縦向き）である場合には、その文字模様全体を上側の模様表示残存領域６２に表示可能に構成してある。
【００３９】
更に、ディスプレイ１０の一部に模様表示領域５１と文字模様選択領域６１とを表示し、ディスプレイ１０の残りの部分、特に、これら領域５１、６１の下側に、サイズキー（Ｌ／Ｍ／Ｓ）６４、文字配列キー６５、「ＳＥＴ」キー６６、「ＣＡＮＣＥＬ」キー６７、更にその下側に、「MemoryRecall」キー５７等の種々の情報を示すキーを表示可能に構成してある。
【００４０】
一方、図１０に示すように、図柄模様を選択する際には、ディスプレイ１０の同一画面（図柄模様選択画面８０）に、模様表示領域５１と、縫製に供する図柄模様を選択可能な図柄模様選択領域８１とを重ねて同時に表示し、図柄模様選択領域８１全体と、模様表示領域５１のうち図柄模様選択領域８１と重ならない（模様表示領域５１の一部）模様表示残存領域８２とを表示するように構成してあり、この模様表示残存領域８２は、図柄模様選択領域８１の上側に表示される。
【００４１】
そして、ディスプレイ１０の一部に模様表示領域５１と図柄模様選択領域８１とを表示し、ディスプレイ１０の残りの部分、特に、これら領域５１，８１の下側に、「ＣＡＮＣＥＬ」キー８３や「ＳＥＴ」キー８４、更にその下側に、「MemoryRecall」キー５７等の種々のキーを表示可能に構成してある。
【００４２】
また、文字模様の選択完了後には、図６の文字模様選択画面６０から図７の模様編集画面７０に切換わり、そのとき、文字模様選択領域６１の表示を解除するとともに、選択された文字模様を模様表示領域５１の中央部分にセンタリングして表示するように構成してある。尚、図柄模様を選択する際においても、図１０の図柄模様選択画面８０の模様表示残存領域８２に図柄模様を確認可能に表示させるように構成してもよい。
【００４３】
図７、図８、図１１に示すように、縫製に供する（選択された）文字模様又は図柄模様を編集する際には、表示した文字模様又は図柄模様を画面（模様編集画面７０）の模様表示領域５１内で異なる８方向へ移動させる指令を入力する為の８方キー７１を、模様表示領域５１の右側に設定され縦方向に長いほぼ長方形状の８方キー表示領域７２に、複数のタッチキー１１に対応させて表示し、文字模様又は図柄模様を模様表示領域５１の中央部分にセンタリングする指令を入力する為のセンタリングキー７３が、８方キー７１の中心部分に複数のタッチキー１１に対応させて立体表示するように構成してある。
【００４４】
そして、模様編集画面７０のうち、文字模様を編集する図７の画面では、模様表示領域５１及び８方キー表示領域７２の下側の纏まった表示領域に、「ＳＩＺＥ」キー７４、「ＳＰＡＣＩＮＧ」キー７５、「ADDPATTERN」キー７６等の種々の模様編集キー等を横方向に並べて表示し、また、図柄模様を編集する図１１の画面では、「ＳＩＺＥ」キー７４、ミラー変換キー７９、「ADDPATTERN」キーを表示し、これら両画面において更に下側に、「MemoryRecall」キー５７等のキーを表示可能に構成してある。
【００４５】
８方キー７１の表示については、８方キー表示領域７２を縦方向に５分割した５つの分割領域の各々に、８方キー７１の１又は２つの方向指示キー７１ａを表示するように構成してあり、特に、相反する横方向への移動を指令入力する為の方向指示キー７１ａは繋がった表示になっており、その方向指示キー７１ａの中央部にセンタリングキー７３が立体表示されている。
【００４６】
次に、制御装置Ｃで実行される模様選択編集制御のルーチンについて、図１５〜図１８のフローチャートに基づいて説明する。尚、通常書体の文字模様「ｂｒｏｔｈｅｒ」と図柄模様「サンタクロース」を選択編集する場合を例にして説明する。但し、図中符号Ｓｉ（ｉ＝１、２、３・・・）は各ステップを示す。
【００４７】
図１５に示すように、電源の投入によりこの制御が開始され、先ず、ＲＡＭ２４の各メモリをクリアする等の初期化処理が実行され（Ｓ１）、次に、刺繍枠駆動装置３０が装着されていると、模様の種類を選択する為の図４の模様種類選択画面５０がディスプレイ１０に表示される（Ｓ２）。
【００４８】
この模様種類選択画面５０には、模様表示領域５１と、模様表示領域５１の右側に３つの文字種類選択キー５２と２つの図柄種類選択キー５３と特殊文字種類選択キー５４とＲＯＭカード選択キー５５とＦＤ選択キー５６とが、縦一列状に表示され、模様表示領域５１と種類選択キー５２〜５６の下側に、「MemoryRecall」キー５７等の種々のキーが表示される。
【００４９】
次に、文字模様選択キー５２（一番上の「ＡＢＣ」キー）が押され種類が選択され（Ｓ３;Yes）、その種類として通常書体の文字模様種類が選択されているときには（Ｓ４;Yes）、図５の文字模様選択画面６０がディスプレイ１０に表示される（Ｓ５）。尚、文字模様種類が選択されると、先ず、複数の小文字のローマ字がマトリックス状に並べて表示されているが、これらの文字を含むテーブルから延びる表示切換えキー部６１ａ以外の、表示切換えキー部６１ｂを押すとことで、その他の複数の文字（例えば、大文字のローマ字等）をマトリックス状に並べて選択可能に表示させることができる。
【００５０】
次に、文字模様選択領域６１の右側上部に表示された「ＲＥＴＵＲＮ」キー６３が押されると（Ｓ６;Yes）、Ｓ２へリターンして前画面の模様種類選択画面５０が表示されるが、「ＲＥＴＵＲＮ」キー６３が押されず（Ｓ６;No ）、文字模様キー「ｂ」、「ｒ」、「ｏ」、「ｔ」、「ｈ」、「ｅ」、「ｒ」が押されて選択されると（Ｓ７;Yes）、各文字模様選択毎にその文字が横向きになって左側の模様表示残存領域６２に表示され（Ｓ８）、最終的に、図６に示すように、選択文字「ｂｒｏｔｈｅｒ」が縦向き配列で左側の模様表示残存領域６２に表示される。
【００５１】
ここで、サイズキー６４で模様サイズをＬ（Ｌａｒｇｅ）に設定し、文字配列キー６５で文字配列を縦配列に設定した状態で文字を選択することで、大文字で縦配列の「ｂｒｏｔｈｅｒ」が、左側の模様表示残存領域６２に表示される。その後、「ＳＥＴ」キー６６が押されると（Ｓ９;Yes）、選択された文字模様「ｂｒｏｔｈｅｒ」が、縫製に供する文字模様として決定され、図１６のＳ１０へ移行する。尚、「ＣＡＮＣＥＬ」キー６７を押すと、選択された文字模様「ｂｒｏｔｈｅｒ」をキャンセルすることができる。
【００５２】
次に、「ＳＥＴ」キー６６が押されると、図１６に示すように、ディスプレイ１０に図７の模様編集画面７０が表示される（Ｓ１０）。その後、「ADDPATTERN」キー７６が押されないとき（Ｓ１１;No ）、８方キー７１が押されると（Ｓ１２;Yes）、配置変更処理（Ｓ１３）が実行され、押された方向指示キー７１ａの方へ、表示した文字模様「ｂｒｏｔｈｅｒ」が画面の模様表示領域５１内で一体的に移動される。センタリングキー７３が押されると（Ｓ１４;Yes）、センタリング処理（Ｓ１５）が実行され、文字模様「ｂｒｏｔｈｅｒ」が模様表示領域５１の中央部分に一体的にセンタリングされる。
【００５３】
次に、「ＳＰＡＣＩＮＧ」キー７５が押されると（Ｓ１６;Yes）、図８に示すように、「ＳＰＡＣＩＮＧ」キー７５の代わりに「ＲＥＴＵＲＮ」キー７５Ａが表示されるとともに、「ＳＰＡＣＩＮＧ」キー７５と模様表示領域５１との間に、文字間設定キー７５ａ，７５ｂと「ＲＥＳＥＴ」キー７５ｃが同カラー色でカラー表示される。
【００５４】
そして、文字間隔処理（Ｓ１８）では、文字間設定キー７５ａを押すことで、図７の「ｂｒｏｔｈｅｒ」の文字間隔を、図８の文字間隔に設定することができ、また、文字間設定キー７５ｂを押すことで文字間隔を縮小することができ、「ＲＥＳＥＴ」キー７５ｃを押すことで、初期の文字間隔に設定することができ、「ＲＥＴＵＲＮ」キー７５Ａを押すことで、この文字間隔処理を終了することができる。
【００５５】
次に、「ＳＰＡＣＩＮＧ」キー７５が押されないとき（Ｓ１６;No ）、その他のキーが押されると（Ｓ１９;Yes）、その他のキーに対応した処理（Ｓ２０）が実行され、その後及び、その他のキーが押されないときに（Ｓ１９;No ）Ｓ１１へリターンする。そして、「ADDPATTERN」キー７６が押されると（Ｓ１１;Yes）、文字模様「ｂｒｏｔｈｅｒ」の模様編集が完了され、Ｓ２へリターンし、図９に示すように、模様表示領域５１に選択した文字模様「ｂｒｏｔｈｅｒ」を表示させた状態で、ディスプレイ１０に、模様種類選択画面５０が表示される。
【００５６】
次に、図１５に示すように、猫や花等を表示した図柄種類選択キー５３が押され種類が選択され（Ｓ３;Yes）、その種類として図柄模様種類が選択されているとき（Ｓ２１;Yes）、図１７のＳ２４へ移行する。一方、図柄模様種類が選択されないとき（２１;Yes）、図１７のＳ２４以降が実行される。一方、その他の種類のキーが選択されているとき（ＲＯＭカード選択又はＦＤ選択のとき）、その他のキーに対応した処理（Ｓ２３）が実行されリターンする。
【００５７】
さて、図柄種類が選択されると、図１７に示すように、図柄模様選択画面８０がディスプレイ１０に表示される（Ｓ２４）。ここで、図柄模様種類が選択されると、先ず、図１０の「Ｐａｇｅ１」の複数の図柄模様が表示されているが、「Ｐａｇｅ１」以外の「Ｐａｇｅ２」〜「Ｐａｇｅ５」に対応するキーを押すことで、その他の複数の図柄模様を選択可能に表示させることができる。
【００５８】
次に、「ＣＡＮＣＥＬ」キー８３が押されると（Ｓ２５;Yes）、Ｓ２へリターンして前画面の図９の模様種類選択画面５０が表示されるが、「ＣＡＮＣＥＬ」キー８３が押されないとき（Ｓ２５;No ）、表示された複数の図柄模様のうち「サンタクロース」８７が押されて選択されると（Ｓ２６;Yes）、図１１の模様編集画面７０がディスプレイ１０に表示される（Ｓ２７）。
【００５９】
この模様編集画面７０では、図柄模様選択領域８１の表示が解除されるとともに、選択された図柄模様「サンタクロース」８８が模様表示領域５１の中央部分にセンタリングされ、文字模様「ｂｒｏｔｈｅｒ」の上側に重なって、カラー表示される。また、図７、図８の模様編集画面と同様に、８方キー７１とセンタリングキー７３が表示される。
【００６０】
次に、「ADDPATTERN」キー７６が押されないとき（Ｓ２８;No ）、８方キー７１が押されると（Ｓ２９;Yes）、配置変更処理（Ｓ３０）が実行され、押された方向指示キー７１ａの方へ、表示した図柄模様「サンタクロース」だけが画面の模様表示領域５１内で移動される。センタリングキー７３が押されると（Ｓ３１;Yes）、センタリング処理（Ｓ３２）が実行され、図柄模様「サンタクロース」だけが模様表示領域５１の中央部分にセンタリングされる。次に、縫製表示キー７８が押されると（Ｓ３３;Yes）、図柄模様「サンタクロース」の模様編集が完了され、ディスプレイ１０に図１２の縫製画面９０が表示される（Ｓ２７）。
【００６１】
ここで、図柄模様「サンタクロース」８８は、例えば、帽子の一部と着物部分からなる第１模様部８８ａと、プレゼント部分の第２模様部８８ｂと、帽子の一部と髭と胴巻き部分からなる第３模様部８８ｃと、着物の線柄部分の第４模様部８８ｄと、靴及び輪郭からなる第４模様部８８ｅと、風呂敷部分からなる第５模様部８８ｆとからなり、各模様部８８ａ〜８８ｆに、ビットデータ、縫製データ、付随データが設けられている。
【００６２】
そして、この縫製画面９０では、模様表示領域５１の右側に、文字模様「ｂｒｏｔｈｅｒ」の各模様の付随データの糸色コードと縫製時間データから、その糸色の糸駒がカラー表示されるとともに、その右側に糸色名（ＬＩＬＡＣ）と縫製時間（１[min] ）が表示され、その下側に、図柄模様「サンタクロース」８８の第１〜第６模様部８８ａ〜８８ｆの各々の、模様部の付随データの糸色コードと縫製時間データから、その糸色の糸駒がカラー表示されるとともに、その右側に糸色名（第１模様部ではＹＥＬＬＯＷ）と縫製時間（第１模様部では５[min] ）が表示される。尚、この並べられた順序が縫製順序を示している。
【００６３】
また、この縫製画面９０には、模様表示領域５１の下側に「ＲＥ−ＥＤＩＴ」キー９１、「ＣＯＬＯＲ♯」キー９２、「ＭＥＭＯＲＹ」キー９３等の種々のキーが設けられ、その下側には、前記画面と同様に、「MemoryRecall」キー５７等の種々のキーが表示される。
【００６４】
次に、「ＲＥ−ＥＤＩＴ」キー９１が押されると（Ｓ３５;Yes）Ｓ２７へリターンし、再度図柄模様「サンタクロース」８８を編集可能となり、「ＲＥ−ＥＤＩＴ」キー９１が押されないときには（Ｓ３５;No ）、図１８のＳ３８以降が実行される。一方、模様表示キー７８が押されないとき（Ｓ３３;No ）、その他のキーが押されると（Ｓ３６;Yes）、そのキーに対応した処理（Ｓ３７）が実行され、その後及び、その他のキーが押されないときに（Ｓ３６;No ）Ｓ２８へリターンする。
【００６５】
次に、図１８に示すように、「ＣＯＬＯＲ♯」キー９２が押されると（Ｓ３８;Yes）、糸色表示切換え処理（Ｓ３９）が実行され、図１３に示すように、文字模様「ｂｒｏｔｈｅｒ」と図柄模様「サンタクロース」８８の各模様部８８ａ〜８８ｆの糸色名の代わりに糸 No.（第１模様部では♯１００）が表示される。尚、糸 No.が表示された状態で、「ＣＯＬＯＲ♯」キー９２が押されると、糸色表示切換え処理（Ｓ３９）で、糸 No.の代わりに糸色名が表示される。
【００６６】
次に、画面右上に表示されたカラー変更キー９４が押されると（Ｓ４０;Yes）、図１４に示すように、ディスプレイ１０の上部にカラーパレット９６が表示される（Ｓ４１）。このカラーパレット９６には、複数色（例えば、５４色）分の矩形カラー表示部が表示され、そのうち所望のカラー表示部９７を押し糸指定が行われると（Ｓ４２;Yes）、指定された色（カラー表示部９７）が拡大表示される（Ｓ４３）。
【００６７】
ここで、カラー表示部９７が拡大表示されても、別のカラー表示部を押すことで、別の色を指定することができ、そのカラー表示部が拡大表示される。次に、「ＯＫ」キー９８が押されると（Ｓ４４;Yes）、指定した色に決定され、文字模様「ｂｒｏｔｈｅｒ」又は複数の模様部８８ａ〜８８ｆの１つの糸色コードをその色の糸色コードに変更され（Ｓ４５）Ｓ３４へリターンする。
【００６８】
尚、図１２、図１３の縫製画面９０において、例えば、糸色等を表示した領域を押すことにより、その領域に押さえマーク９５が表示され、その文字模様「ｂｒｏｔｈｅｒ」又は図柄模様「サンタクロース」の模様部が糸色変更の対称となる。尚、糸色変更が行われた時点で、糸色変更された文字模様「ｂｒｏｔｈｅｒ」又は図柄模様「サンタクロース」８８の模様部のカラー表示に関する変更も行われる。
【００６９】
その後、起動・停止スイッチ１２をＯＮ操作すると、先ず、文字模様「ｂｒｏｔｈｅｒ」が、各文字模様の縫製データに基づいて針棒駆動機構等の縫製機構と刺繍枠駆動装置３０が駆動制御されて刺繍縫製され、続いて、図柄模様「サンタクロース５」８８の各第１〜第６模様部８８ａ〜８８ｆ、各模様部様８８ａ〜８８ｆの縫製データに基づいて針棒駆動機構等の縫製機構と刺繍枠駆動装置３０が駆動制御されて刺繍縫製される。
【００７０】
そして、文字模様「ｂｒｏｔｈｅｒ」の縫製完了後、また、図柄模様「サンタクロース５」８８の各第１〜第６模様部８８ａ〜８８ｆの縫製完了後は、縫製機構と刺繍枠駆動装置３０が停止するため、その間に、表示された糸色の糸駒を付替えて、その後、起動・停止スイッチ１２をＯＮ操作し、全ての縫製が終了すると、ディスプレイ１０に表示された模様が加工布に縫製される。
【００７１】
尚、図１２、図１３のこの縫製画面９０において、「ＭＥＭＯＲＹ」キーを押すことにより、現在表示されている選択編集した模様をフラッシュメモリ２５に記録することができ、「MemoryRecall」キー５７を押して所定のタッチ操作を行うことにより、フラッシュメモリ２５に記録しておいた選択編集した模様を呼び出して使用することができる。
【００７２】
尚、ディスプレイ１０とディスプレイコントローラ２０が表示手段に相当し、この表示手段と制御装置Ｃとが模様選択編集装置に相当する。また、制御装置Ｃで実行されるＳ５、Ｓ２４に表示制御手段が含まれる。
【００７３】
さて、この電子制御ミシンＭによれば、縫製に供する文字模様を選択する際、図５、図６に示すように、ディスプレイ１０の同一画面（文字模様選択画面６０）に、模様表示領域５１と、縫製に供する文字模様を選択可能な文字模様選択領域６１とを重ねて同時に表示し、文字模様選択領域６１全体と、模様表示領域５１のうち文字模様選択領域６１と重ならない（模様表示領域５１の一部）模様表示残存領域６２とを表示するように構成してある。
【００７４】
従って、図６に示すように、選択された文字模様が縦向き配列の複数の文字（個々の文字は横向き）である場合には、その文字模様全体を左側の模様表示残存領域６２に表示させることができるため、模様表示領域５１に対する、選択した文字模様のサイズや向きや複数の文字模様の配列方向を実際に見て把握することができ、これにより、選択した文字模様を、この文字模様選択段階で容易に変更することが可能であり、それ故、複数の文字模様のサイズや配列方向を予め設定する機能を有効に発揮させることができる。
【００７５】
しかも、その文字模様全体を模様表示残存領域６２に表示可能に構成したので、刺繍模様の選択の際、選択した文字模様のサイズや向きや複数の文字模様の配列方向ばかりでなく、その文字内容を確実に把握することがてきる。尚、選択された文字模様が横向き配列の文字（個々の文字は縦向き）である場合には、その文字模様全体を上側の模様表示残存領域６２に表示させることができる。
【００７６】
文字模様選択の完了後に、図６の模様選択画面６０から図７の模様編集画面７０に切換わり、そのとき、文字模様選択領域６１の表示を解除するとともに、選択された文字模様を模様表示領域５１の中央部分にセンタリングして表示するので、模様選択の終了後に、ディスプレイ１０に模様選択領域５１の全体が表示され、刺繍模様を編集する際の初期位置である模様表示領域５１の中央部分に確実に配置することができる。
【００７７】
ディスプレイ１０の縦長に構成したことにより、ディスプレイ１０の上部に模様表示領域５１と文字模様選択領域６１（図柄模様表示領域８１）とを表示し、ディスプレイ１０の残りの部分に、即ち、様表示領域５１と文字模様選択領域６１（図柄模様表示領域８１）の下側の纏った表示領域に、種々の情報を表示することができ有効である。
【００７８】
尚、本実施形態の場合には、文字模様を選択する為に、図９、図１０に示すように、複数の文字模様を複数行複数列に並べた文字模様群の表示データは、個々の文字模様の縫製データから作成されるものとする。また、図示していないが、図柄模様を選択する為に、ＲＯＭ２３、４１に、図１４に示すように、複数の図柄模様を複数行複数列に夫々並べた１又は複数の図柄模様群の表示データが格納されている。
【００７９】
尚、ＲＯＭ２３、４１に、１又は複数の文字模様群の表示データを予め格納しておいてもよいし、また、１又は複数の図柄模様群の表示データを格納せずに、この図柄模様群の表示データが、個々の図柄模様の縫製データから作成されるように構成してもよい。
【００８０】
【００８１】
【００８２】
尚、本発明は前記実施形態に限定して解釈されるべきではなく、本発明の技術的思想を逸脱しない範囲において、前記実施形態に、既存の技術や当業者に自明の技術に基いて種々の変更を加えることもあり得る。
【００８３】
【発明の効果】
請求項１の刺繍縫製可能なミシンの模様選択編集装置によれば、縫製に供する刺繍模様を選択する際、ディスプレイの前記模様表示領域（刺繍枠に対応する刺繍縫製可能な領域）の少なくとも一部に、選択した刺繍模様の少なくとも一部を表示させることができるため、模様表示領域に対する、選択した刺繍模様（図柄模様や文字模様）のサイズや向きや複数の文字模様の配列方向を実際に見て把握することができ、これにより、選択した刺繍模様を、この刺繍模様選択段階で容易に変更することが可能であり、それ故、複数の文字模様のサイズや配列方向を予め設定した状態で文字模様を選択可能なものでは、そのサイズや配列方向の設定を有効に機能させることができる。
【００８４】
【００８５】
表示制御手段は、前記模様選択領域と模様表示領域とを重ねてディスプレイに表示するとともに、模様表示領域のうち模様選択領域と重ならない模様表示残存領域に選択された刺繍模様の少なくとも一部を表示可能であるので、刺繍模様を選択する際、模様表示残存領域に選択された刺繍模様の少なくとも一部を表示させることができるため、模様表示領域に対する選択した刺繍模様のサイズや向きや複数の文字模様の配列方向を実際に確実に見て把握することができる。
【００８６】
選択された模様が文字模様である場合には、その文字模様全体を模様表示残存領域に表示可能に構成したので、刺繍模様の選択の際、選択した文字模様のサイズや向きや複数の文字模様の配列方向ばかりでなく、その文字内容を確実に把握することができる。
【００８７】
請求項２の刺繍縫製可能なミシンの模様選択編集装置によれば、表示制御手段は、模様選択の完了後に模様選択領域の表示を解除するとともに、選択された刺繍模様を模様表示領域の中央部分にセンタリングして表示するので、模様選択の終了後に、ディスプレイに模様選択領域の全体が表示され、刺繍模様を編集する際の初期位置である模様表示領域の中央部分に確実に配置することができる。その他請求項１と同様の効果を奏する。
【００８８】
請求項３の刺繍縫製可能なミシンの模様選択編集装置によれば、ディスプレイの一部に前記模様表示領域と模様選択領域とを表示し、ディスプレイの残りの部分に種々の情報を表示することができる。その他請求項１又は２と同様の効果を奏する。
【図面の簡単な説明】
【図１】本発明の実施形態に係る電子制御ミシンの斜視図である。
【図２】電子制御ミシンの制御系のブロック図である。
【図３】ＲＯＭ内の模様データの構造を示す図である。
【図４】ディスプレイに表示された模様種類選択画面である。
【図５】ディスプレイに表示された文字模様選択画面である。
【図６】ディスプレイに表示された文字模様選択画面（文字模様選択）である。
【図７】ディスプレイに表示された模様編集画面である。
【図８】ディスプレイに表示された模様編集画面（文字間隔処理）である。
【図９】ディスプレイに表示された模様種類選択画面である。
【図１０】ディスプレイに表示された図柄模様選択画面である。
【図１１】ディスプレイに表示された模様編集画面である。
【図１２】ディスプレイに表示された縫製画面（糸色名表示）である。
【図１３】ディスプレイに表示された縫製画面（糸 No.表示）である。
【図１４】ディスプレイに表示されたカラーパレットを含む画面である。
【図１５】模様選択編集制御のフローチャート〔１／４部〕である。
【図１６】模様選択編集制御のフローチャート〔２／４部〕である。
【図１７】模様選択編集制御のフローチャート〔３／４部〕である。
【図１８】模様選択編集制御のフローチャート〔４／４部〕である。
【符号の説明】
Ｍ        電子制御ミシン
Ｃ        制御装置
１０      液晶ディスプレイ
１１      タッチキー
５１      模様表示領域
６１      文字模様選択領域
６２，８２  模様表示残存領域
７１      ８方キー
７１ａ    方向指示キー
７２      ８方キー表示領域
７３      センタリングキー
８１      図柄模様選択領域
【図１】
0004240174.tif 000002
【図２】
0004240174.tif 000003
【図３】
0004240174.tif 000004
【図４】
0004240174.tif 000005
【図５】
0004240174.tif 000006
【図６】
0004240174.tif 000007
【図７】
0004240174.tif 000008
【図８】
0004240174.tif 000009
【図９】
0004240174.tif 000010
【図１０】
0004240174.tif 000011
【図１１】
0004240174.tif 000012
【図１２】
0004240174.tif 000013
【図１３】
0004240174.tif 000014
【図１４】
0004240174.tif 000015
【図１５】
0004240174.tif 000016
【図１６】
0004240174.tif 000017
【図１７】
0004240174.tif 000018
【図１８】
0004240174.tif 000019